(57)【特許請求の範囲】
【請求項１】
軸線方向に沿って延びる燃料ノズルを保持するとともに、下流側に向かって空気が流通する第一筒体と、
前記第一筒体の下流側に接続される第二筒体と、
前記第一筒体の外周面との間で、前記第一筒体の上流端で反転させて前記下流側に向かうように空気を導入する空気導入路を画成する内周面を有する外筒と、を備え、
前記外筒は、
タービン車室に設けられた燃焼器挿入口の内周側に嵌合する嵌合凸部を備え、
前記嵌合凸部の内周面に、前記第一筒体の上流端側に向かうにしたがって径方向内側に向かって延びる外側絞り面が形成され、
前記外周面上であって、前記外側絞り面に対して径方向から対向する部分には、前記第一筒体の上流端側に向かうにしたがって径方向外側に向かって延びる内側絞り面が形成され、
前記外側絞り面の上流側端部は、前記内側絞り面の上流側端部よりも上流側に位置している燃焼器。
【請求項２】
前記軸線を含む断面視で、前記軸線と前記外側絞り面とがなす角度をαとし、
前記軸線と前記内側絞り面とがなす角度をβとしたとき、α＜βの関係が成立する請求項１に記載の燃焼器。
【請求項３】
圧縮空気を生成する圧縮機と、
請求項１又は２に記載の燃焼器と、
前記燃焼器によって生成された燃焼ガスによって回転駆動されるタービンと、
を備えるガスタービン。
【発明の詳細な説明】
【技術分野】
【０００１】
本発明は、燃焼器、及びガスタービンに関する。
【背景技術】
【０００２】
一般的に、ガスタービンは、高圧空気を生成する圧縮機と、高圧空気と燃料とを混合・燃焼させることで高温高圧の燃焼ガスを生成する燃焼器と、燃焼ガスによって回転駆動されるタービンと、を備えている。
【０００３】
燃焼器としては、これまでに種々の態様のものが提唱・実用化されている。その一例として、下記特許文献１に記載されたものが知られている。特許文献１に記載された燃焼器は、燃焼ガスが流通する筒体（支持構造）と、筒体の上流側に設けられた混合管と、燃料噴射器と、車室内の高圧空気を混合管に導くテーパ状環状壁と、を備えている。テーパ状環状壁は、筒体の外周側に設けられることで、当該筒体の外周面との間に、高圧空気が流通する内部通路を形成している。
【０００４】
これにより、燃料噴射器から供給された燃料と、内部通路を流通する高圧空気とが、混合管内で混合された後、筒体内での燃焼を経て、燃焼ガスが生成される。
【先行技術文献】
【特許文献】
【０００５】
【特許文献１】特開２０１４−１７３８３６号公報
【発明の概要】
【発明が解決しようとする課題】
【０００６】
ところで、上記のテーパ状環状壁と筒体とによって形成された内部通路上では、まず車室内の高圧空気が下流側（燃焼ガスの流れる方向における下流側）から上流側に向かって導かれる。続いて、高圧空気は、テーパ状環状壁の内周面に沿って、その流れ方向が１８０°反転された後、混合管に導入される。
【０００７】
このように、上記特許文献１に記載された燃焼器では、高圧空気の流れの反転を伴うことから、内部通路中における高圧空気の流速分布が不均一となる虞がある。高圧空気の流速分布が均一でない場合、下流側の筒体内でも同様に流れの不均衡を生じ、結果としてＮＯｘの生成量が増えてしまう場合がある。
本発明は上記課題を解決するためになされたものであって、高圧空気の流速分布を最適化することで、ＮＯｘ生成量が低減された燃焼器を提供することを目的とする。
【課題を解決するための手段】
【０００８】
本発明の第一の態様によれば、燃焼器は、軸線方向に沿って延びる燃料ノズルを保持するとともに、下流側に向かって空気が流通する第一筒体と、該第一筒体の下流側に接続される第二筒体と、前記第一筒体の外周面との間で、前記第一筒体の上流端で反転させて前記下流側に向かうように空気を導入する空気導入路を画成する内周面を有する外筒と、を備え、前記外筒は、タービン車室に設けられた燃焼器挿入口の内周側に嵌合する嵌合凸部を備え、前記嵌合凸部の内周面に、前記第一筒体の上流端側に向かうにしたがって径方向内側に向かって延びる外側絞り面が形成され、前記外周面上であって、前記外側絞り面に対して径方向から対向する部分には、前記第一筒体の上流端側に向かうにしたがって径方向外側に向かって延びる内側絞り面が形成され、前記外側絞り面の上流側端部は、前記内側絞り面の上流側端部よりも上流側に位置している。
【０００９】
この構成によれば、外筒の内周面に外側絞り面が形成されていることから、空気導入路内を当該外側絞り面に沿って流通する空気の流速分布を均一にすることができる。特に、外側絞り面は、第一筒体の上流側端に向かうにしたがって径方向内側に向かって延びることから、空気が第一筒体の上流端で反転する際に、外周側における空気の流速を内周側の空気の流速に比べて大きくすることができる。これにより、空気導入路の出口側で、空気の流速分布を均一化することができる。
【００１１】
さらに、第一筒体の外周面上で、外側絞り面と対向する部分に内側絞り面が形成されていることから、空気が第一筒体の上流端で反転する際に、当該上流端の外周側に加えて内周側でも空気の流速を最適化することができる。
また、外側絞り面の上流側端部が、内側絞り面の上流側端部よりも上流側に位置していることから、外側絞り面に沿って流通する空気の流れが、内側絞り面に沿って流通する空気の流れに比べて、より上流側に到達しやすくなる。外側絞り面によって案内された空気は、軸線の径方向内側に向かう方向成分を多く含むことから、第一筒体の上流端でさらに円滑に反転することができる。
【００１２】
本発明の第二の態様によれば、上記第二の態様に係る燃焼器において、前記軸線を含む断面視で、該軸線と前記外側絞り面とがなす角度をαとし、前記軸線と前記内側絞り面とがなす角度をβとしたとき、α＜βの関係が成立するように構成されてもよい。
【００１３】
この構成によれば、外筒の内周面上において、軸線と外側絞り面とがなす角度αは、第一筒体の外周面上において、軸線と内側絞り面とがなす角度βよりも小さい。これにより、外側絞り面に沿って流通する空気では、内側絞り面に沿って流通する空気に比べて、上流側に向かう方向成分が多くなる。すなわち、空気が第一筒体の上流端で反転する際に、外周側における空気の流速を内周側の空気の流速に比べて大きくすることができる。
【００１６】
本発明の第三の態様によれば、ガスタービンは、圧縮空気を生成する圧縮機と、上記第一又は第二の態様に係る燃焼器と、前記燃焼器によって生成された燃焼ガスによって回転駆動されるタービンと、を備える。
【００１７】
この構成によれば、ＮＯｘ生成量が低減された燃焼器を備えるガスタービンを提供することができる。
【発明の効果】
【００１８】
本発明によれば、高圧空気の流速分布を最適化することで、ＮＯｘ生成量が低減された燃焼器を提供することができる。
【図面の簡単な説明】
【００１９】
【図１】本発明の第一実施形態に係るガスタービンの構成を示す模式図である。
【図２】本発明の第一実施形態に係る燃焼器の断面図である。
【図３】本発明の第一実施形態に係る燃焼器の要部拡大断面図である。
【図４】本発明の第二実施形態に係る燃焼器の要部拡大断面図である。
【発明を実施するための形態】
【００２０】
［第一実施形態］
本発明の第一実施形態について、図１から図３を参照して説明する。図１に示すように、本実施形態に係るガスタービン１は、外気を圧縮して圧縮空気を生成する圧縮機２と、この圧縮空気に燃料を混合して燃焼させ、高温高圧の燃焼ガスを生成する燃焼器３と、この燃焼ガスによって回転駆動されるタービン４と、を備えている。
【００２１】
圧縮機２は、圧縮機車室５Ａと、この圧縮機車室５Ａ内で主軸線Ａｍ回りに回転する圧縮機ロータ６Ａと、を備えている。圧縮機車室５Ａの内周面上には、主軸線Ａｍの周方向に間隔をあけて配列された複数の圧縮機静翼７Ａが取り付けられている。圧縮機ロータ６Ａの外周面上には、複数の圧縮機動翼８Ａが取り付けられている。これら複数の圧縮機静翼７Ａと圧縮機動翼８Ａ同士は、主軸線Ａｍ方向に互い違いになるように配列されている。
【００２２】
燃焼器３は、例えば主軸線Ａｍの周方向に間隔をあけて複数が取り付けられている。これら複数の燃焼器３には、上記の圧縮機２で生成された圧縮空気が供給される。燃焼器３中で、この圧縮空気と燃料とが混合・燃焼することで、高温高圧の燃焼ガスが生成される。
【００２３】
タービン４は、タービン車室５Ｂと、このタービン車室５Ｂ内で主軸線Ａｍ回りに回転するタービンロータ６Ｂと、を備えている。タービン車室５Ｂの内周面上には、主軸線Ａｍの周方向に間隔をあけて配列された複数のタービン静翼７Ｂが取り付けられている。タービンロータ６Ｂの外周面上には、複数のタービン動翼８Ｂが取り付けられている。これら複数のタービン静翼７Ｂとタービン動翼８Ｂ同士は、主軸線Ａｍ方向に互い違いになるように配列されている。
【００２４】
タービンロータ６Ｂの一端側は、例えば当該タービンロータ６Ｂの回転に伴って発電する発電機（図示省略）と接続されている。一方で、タービンロータ６Ｂの他端側は、上記の圧縮機ロータ６Ａに対して主軸線Ａｍ方向に接続されている。すなわち、タービンロータ６Ｂと圧縮機ロータ６Ａとは、主軸線Ａｍ回りに一体に回転可能となっている。
【００２５】
続いて、燃焼器３の構成について図２、図３を参照して説明する。図２は、燃焼器３を自身の中心軸線Ａｃ（軸線）に交差する方向から見た断面図である。同図に示すように、燃焼器３は、タービン車室５Ｂに形成された燃焼器挿入口９を通じて、タービン車室５Ｂ内に挿入されている。より詳細には、この燃焼器３は、タービン車室５Ｂ内の圧縮空気を燃焼器３内に導く外筒１０と、圧縮空気と燃料とを混合・燃焼させて燃焼ガスを供給するスワラ支持筒１１（第一筒体）と、この燃焼ガスをタービンロータ６Ｂのタービン動翼８Ｂに送る燃焼筒１２（第二筒体）と、備えている。なお、以下の説明では、燃焼器３の中心軸線Ａｃに沿って、スワラ支持筒１１が位置する側を上流側と呼び、燃焼筒１２が位置する側を下流側と呼ぶ。
【００２６】
外筒１０は、後述する燃料ノズル１３を支持するとともに、燃焼器挿入口９を外側から塞ぐように取り付けられた略筒状の部材である。本実施形態に係る外筒１０は、外筒本体１０Ａと、ノズル台１４と、を備えている。外筒本体１０Ａは、中心軸線Ａｃを中心とする円盤状をなしている。外筒本体１０Ａの下流側の面上における外周側の領域には、燃焼器挿入口９の内周側に嵌合する嵌合凸部１５が形成されている。さらに、外筒本体１０Ａの中心点を含む中央部の領域には、ノズル台１４を支持する支持開口１６が形成されている。なお、外筒１０は、一例としてトップハット等と呼ばれることがある。
【００２７】
嵌合凸部１５の外周面は、燃焼器挿入口９の内周面と同一かわずかに小さな径寸法を有している。これにより、嵌合凸部１５の外周面は、燃焼器挿入口９の内周面に対して隙間なく嵌合する。嵌合凸部１５の内周面は、スワラ支持筒１１の外周面１１Ｓに対して中心軸線Ａｃの径方向に隙間をあけて対向している。この隙間は、タービン車室５Ｂ内の圧縮空気を導入するための空気導入路Ｃとして用いられる。より詳細には、嵌合凸部１５の内周面上には、下流側からスワラ支持筒１１の上流端側に向かって順に、外側絞り面１７と、平行面１８と、反転面１９と、が形成されている。
【００２８】
図３に示すように、外側絞り面１７は、中心軸線Ａｃを含む断面視で、中心軸線Ａｃに対して角度αだけ傾斜して延びている。より詳細には、外側絞り面１７は、嵌合凸部１５の内周面に沿って下流側から上流側に向かうにしたがって、中心軸線Ａｃの径方向内側に向かって延びている。
【００２９】
さらに、外側絞り面１７の上流側端部は、平行面１８に接続されている。平行面１８は、中心軸線Ａｃに対して平行に延びている。平行面１８の上流側端部は、反転面１９に接続されている。
【００３０】
反転面１９は、平行面１８の上流側端部に接続された曲面である。より詳細には、反転面１９は、中心軸線Ａｃを含む断面視で、スワラ支持筒１１の上流端を中心とする１／４円弧をなしている。反転面１９の上流側端部（すなわち、中心軸線Ａｃの径方向内側の端部）は、上記の支持開口１６の内周面と接続されている。
【００３１】
この反転面１９には、空気導入路Ｃ内に燃料を噴射するトップハットノズル（以下、ペグ２０と呼ぶ）が取り付けられている。具体的には、ペグ２０は、反転面１９の内周面上から、中心軸線Ａｃに向かって４５°の方向に延びる棒状をなしている。詳しくは図示しないが、このペグ２０は、燃料供給源に接続されている。この燃料は、空気導入路Ｃ内で圧縮空気と混合される。
【００３２】
再び図２に示すように、ノズル台１４は、燃料ノズル１３を支持する部材である。なお、本実施形態では、燃料ノズル１３は、第１ノズル１３Ｐ、及び第２ノズル１３Ｍの２種類を含んでいる。より具体的には図２に示すように、ノズル台１４は、外筒本体１０Ａの支持開口１６によって外周側から支持される円環状をなしている。ノズル台１４の中心点を含む領域には、第１ノズル１３Ｐが挿通されている。
【００３３】
第１ノズル１３Ｐは、中心軸線Ａｃに沿って延びる円柱状をなしており、上流側から下流側にかけてその内部は中空とされている。第１ノズル１３Ｐの上流側には燃料供給源が接続されており、上流側から第１ノズル１３Ｐ内に供給された燃料は、下流側に向かって流れた後、下流側先端に設けられた第１ノズル本体１３Ａからスワラ支持筒１１の内部に向かって噴射される。なお、第１ノズル本体１３Ａの外周側には、第１コーン１３Ｃが取り付けられている。第１コーン１３Ｃは、中心軸線Ａｃの上流側から下流側に向かって次第に拡径する漏斗状の部材である。
【００３４】
さらに、ノズル台１４における外周側の領域（すなわち、第１ノズル１３Ｐよりも外周側の領域）には、中心軸線Ａｃの周方向に間隔をあけて複数の第２ノズル１３Ｍが取り付けられている。これら第２ノズル１３Ｍは中心軸線Ａｃに沿って互いに平行に延びている。第１ノズル１３Ｐと同様に、第２ノズル１３Ｍの内部にも燃料供給源から供給された燃料が流れる。上流側から供給された燃料は、下流側に形成された噴射口（不図示）を通じてスワラ支持筒１１内部に供給される。
【００３５】
スワラ支持筒１１は、中心軸線Ａｃに沿って延びる円筒状をなしている。スワラ支持筒１１の下流側の端部には、上記の燃焼筒１２が接続部材２１を介して接続されている。スワラ支持筒１１は、燃焼筒１２の内径よりも小さな外径を有することで、燃焼筒１２の内周側に挿通されている。接続部材２１は、中心軸線Ａｃの周方向に延びる円環状の弾性部材によって構成されている。上記のノズル台１４が燃焼器挿入口９に取り付けられた状態において、燃料ノズル１３（第１ノズル１３Ｐ、第２ノズル１３Ｍ）の先端部は、いずれもスワラ支持筒１１の内側で保持される。
【００３６】
さらに、図３に示すように、スワラ支持筒１１の上流側端部を含む部分には、径方向外側に向かって膨らんだ膨出部２２が設けられている。膨出部２２の厚さ寸法（中心軸線Ａｃの径方向における寸法）は、膨出部２２以外の部分におけるスワラ支持筒１１の厚さ寸法よりも大きく設定されている。膨出部２２の上流側の端面は、中心軸線Ａｃを含む断面視で半円弧状の断面をなしている。
【００３７】
スワラ支持筒１１の外周面１１Ｓ上（膨出部２２の外周面２２Ｓ上）であって、上述の外側絞り面１７に径方向から対向する部分には、内側絞り面２３が形成されている。内側絞り面２３は、中心軸線Ａｃを含む断面視で、中心軸線Ａｃに対して角度βだけ傾斜して延びている。より詳細には、内側絞り面２３は、スワラ支持筒１１の外周面１１Ｓに沿って下流側から上流側に向かうにしたがって径方向外側に向かって延びている。
【００３８】
さらに、本実施形態では、上記の外側絞り面１７が中心軸線Ａｃ（平行面１８）に対してなす角度αの値と、内側絞り面２３がスワラ支持筒１１の外周面１１Ｓとなす角度βの値との間には、α＜βの関係が成立している。
【００３９】
加えて、図３に示すように、外側絞り面１７の上流側端部は、内側絞り面２３の上流側端部よりも上流側に位置している。
【００４０】
以上のようにして、外筒１０の内周面とスワラ支持筒１１の外周面１１Ｓとによって空気導入路Ｃが形成される。空気導入路Ｃの下流側端部を含む部分（すなわち、外側絞り面１７と内側絞り面２３によって形成される流路）では、下流側から上流側に向かうにしたがって次第に径方向の寸法が縮小している。
【００４１】
続いて、本実施形態に係るガスタービン１の動作について、図１を参照して説明する。
ガスタービン１を運転するに当たっては、まず圧縮機２を外部の動力源によって駆動する。圧縮機２が駆動することで、外部の空気が圧縮機２内部に取り込まれ、圧縮機動翼８Ａと圧縮機静翼７Ａとの間を流通する間に順次圧縮されて高圧の圧縮空気が生成される。
【００４２】
圧縮機２で生成された圧縮空気は、タービン車室５Ｂを経て燃焼器３内部に取り込まれる。詳しくは後述するが、燃焼器３では、上記の燃料ノズル１３によって供給された燃料と圧縮空気とが混合された後、燃焼して、高温高圧の燃焼ガスが生成される。
【００４３】
燃焼器３で生成された燃焼ガスは、後続のタービン４に供給される。タービン４内では、燃焼ガスがタービン動翼８Ｂに衝突することで、タービンロータ６Ｂに回転力を与える。これにより、タービンロータ６Ｂが回転する。タービンロータ６Ｂは上述のように圧縮機ロータ６Ａに一体に接続されていることから、当該タービンロータ６Ｂの回転に伴って圧縮機ロータ６Ａも回転駆動される。つまり、定常運転状態では、圧縮機２による圧縮空気の生成と、タービン４の回転とが連続的なサイクルを形成する。
【００４４】
次に、燃焼器３における圧縮空気の挙動について、図２と図３を参照して説明する。図２に示すように、圧縮機２で生成された圧縮空気は、まずタービン車室５Ｂ内に流れ込む。ここで、燃焼器３内部は、タービン車室５Ｂ内に比べて相対的に低圧となっていることから、圧縮空気は自然に燃焼器３内に取り込まれる。
【００４５】
より具体的には、タービン車室５Ｂ内の圧縮空気は、上述の空気導入路Ｃを通じてスワラ支持筒１１内部に流れ込む。スワラ支持筒１１内部では、圧縮空気は第２ノズル１３Ｍを外側から囲むようにして上流側から下流側に流れる。ここで、第２ノズル１３Ｍの下流側端部からは上述のように燃料が噴射されている。これにより、第２ノズル１３Ｍの下流側の領域では、燃料と圧縮空気とが混合された予混合ガスが生成される。
【００４６】
第１ノズル１３Ｐの先端からは燃料のみが噴射される。この燃料に対して、不図示の着火装置によって着火することで、拡散燃焼によるパイロット火炎が形成される。パイロット火炎が、上記の予混合ガスに伝播することで、第２ノズル１３Ｍの下流側では予混合火炎が形成されるとともに、上述の燃焼ガスが生成される。
【００４７】
ところで、図３に示すように、圧縮空気は、外筒１０とスワラ支持筒１１とによって画成される空気導入路Ｃによって燃焼器３内部に導かれる。上述したように、空気導入路Ｃの端部は、下流側に向かって開口している。圧縮空気は、この開口からタービン車室５Ｂ内から空気導入路Ｃ内に流れ込んだ後、上記の反転面１９による１８０°の反転を経て向きを変えて、スワラ支持筒１１の内部で上流側から下流側に向かって流通する。
【００４８】
ここで、空気導入路Ｃ内では、上記のような流れ方向の反転を伴うことから、反転面１９の外周側（すなわち、膨出部２２よりも反転面１９に近接する側）と、内周側（膨出部２２側）とでは、圧縮空気の流速が異なっている。このような流速分布の不均衡から、空気導入路Ｃの下流側、すなわち、スワラ支持筒１１の上流側では、空気流量に偏りが生じる虞がある。このような空気流量の偏りが生じてしまった場合、燃焼ガスの濃度分布にも偏りが生じることがある。これにより、ＮＯｘの生成量が規定よりも大きくなってしまう懸念もある。
【００４９】
しかしながら、本実施形態に係る燃焼器３では、外筒１０の内周面に外側絞り面１７が形成されていることから、空気導入路Ｃ内を当該外側絞り面１７に沿って流通する空気の流速分布を均一にすることができる。特に、外側絞り面１７は、スワラ支持筒１１の上流側端に向かうにしたがって径方向内側に向かって延びることから、空気がスワラ支持筒１１の上流端で反転する際に、外周側における空気の流速を内周側の空気の流速に比べて大きくすることができる。これにより、空気導入路Ｃの出口側で、空気の流速分布を均一化することができる。
【００５０】
さらに、上述の構成によれば、スワラ支持筒１１の外周面上で、外側絞り面１７と対向する部分に内側絞り面２３が形成されていることから、空気がスワラ支持筒１１の上流端で反転する際に、当該上流端の外周側に加えて内周側でも空気の流速を最適化することができる。
【００５１】
加えて、上述の構成によれば、外筒１０の内周面上において、中心軸線Ａｃと外側絞り面１７とがなす角度αは、スワラ支持筒１１の外周面上において、中心軸線Ａｃと内側絞り面２３とがなす角度βよりも小さい。これにより、外側絞り面１７に沿って流通する空気では、内側絞り面２３に沿って流通する空気に比べて、上流側に向かう方向成分が多くなる。これにより、空気がスワラ支持筒１１の上流端で反転する際に、外周側における空気の流速を内周側の空気の流速に比べて大きくすることができる。
【００５２】
また、上述の構成によれば、外側絞り面１７の上流側端部が、内側絞り面２３の上流側端部よりも上流側に位置していることから、外側絞り面１７に沿って流通する空気の流れが、内側絞り面２３に沿って流通する空気の流れに比べて、より上流側に到達しやすくなる。外側絞り面１７によって案内された空気は、中心軸線Ａｃの径方向外側から内側に向かう方向成分を多く含むことから、スワラ支持筒１１の上流端でさらに円滑に反転することができる。以上により、本実施形態に係る燃焼器３では、圧縮空気の流速分布が最適化されることで、燃焼ガスの濃度分布が適正となるため、ＮＯｘ生成量を低減することができる。
【００５３】
［第二実施形態］
次に、本発明の第二実施形態について、図４を参照して説明する。なお、上記第一実施形態と同様の構成については同一の符号を付した上で、詳細な説明を省略する。同図に示すように、本実施形態では、スワラ支持筒１１の上流側端部に、膨出部２２が形成されていない点で第一実施形態と異なっている。つまり、本実施形態では、スワラ支持筒１１の外周面１１Ｓは、上流側から下流側にかけて同一の外径寸法を有している。なお、スワラ支持筒１１の上流側の端面は、上記第一実施形態と同様に、半円弧状の断面形状を有している。
【００５４】
以上のような構成によっても、上記第一実施形態と同様の作用効果を得ることができる。特に、内側絞り面２３が形成されていないことから、径方向内側から径方向外側に向かう流れ方向成分が減少する。一方で、外側絞り面１７に沿って案内された流れ中では、径方向外側から内側に向かう成分（すなわち、反転面１９に沿う成分）が増加することから、圧縮空気をより円滑に反転させることができる。これにより、空気導入路Ｃの出口側における圧縮空気の流速分布をさらに適正化することができる。
【００５５】
以上、本発明の実施形態について、図面を参照して説明した。なお、本発明の要旨を逸脱しない限りにおいて、上記の構成に対して種々の変更を加えることが可能である。
【００５６】
例えば、上記の各実施形態では、外側絞り面１７と平行面１８の接続部分、及び内側絞り面２３と膨出部２２の接続部分がいずれも角部を有している例について説明した。しかしながら、これら接続部分の構成は上記実施形態によっては限定されず、これら接続部分が連続する曲面をなしていてもよい。具体的には、外側絞り面１７から平行面１８に向かうにしたがって、又は内側絞り面２３から膨出部２２に向かうにしたがって、緩やかに湾曲するように構成されていてもよい。このような構成によれば、角部が形成されている場合に比して、流れの淀みや剥離が生じる可能性をさらに低減することができることから、空気導入路Ｃ内における圧縮空気の流速分布をさらに適正化することができる。
【００５７】
さらに、上記の各実施形態では、外側絞り面１７と反転面１９との間に、平行面１８が形成されている例について説明した。しかしながら、外側絞り面１７の上流側端部に、反転面１９が直接接続された構成を採ることも可能である。言い換えると、外筒１０の内周面に、平行面１８が形成されていない構成を採ってもよい。このような構成によっても、上述した作用効果を同様に得ることができる。
【符号の説明】
【００５８】
１…ガスタービン
２…圧縮機
３…燃焼器
４…タービン
５Ａ…圧縮機車室
５Ｂ…タービン車室
６Ａ…圧縮機ロータ
６Ｂ…タービンロータ
７Ａ…圧縮機静翼
７Ｂ…タービン静翼
８Ａ…圧縮機動翼
８Ｂ…タービン動翼
９…燃焼器挿入口
１０…外筒
１０Ａ…外筒本体
１１…スワラ支持筒（第一筒体）
１１Ｓ…スワラ支持筒の外周面
１２…燃焼筒（第二筒体）
１３…燃料ノズル
１３Ａ…第１ノズル本体
１３Ｃ…第１コーン
１３Ｍ…第２ノズル
１３Ｐ…第１ノズル
１４…ノズル台
１５…嵌合凸部
１６…支持開口
１７…外側絞り面
１８…平行面
１９…反転面
２０…ペグ
２１…接続部材
２２…膨出部
２２Ｓ…膨出部の外周面
２３…内側絞り面
Ａｃ…中心軸線
Ａｍ…主軸線
Ｃ…空気導入路
【図１】
0006768306.tif 000002
【図２】
0006768306.tif 000003
【図３】
0006768306.tif 000004
【図４】
0006768306.tif 000005